Podtech/llm-jp-corpus-v4-ja_patent huggingface dataset:
(57)【要約】      （修正有）【課題】農作業や工事現場で使用される手押し一輪車もしくは複輪車の荷台に雨水、液体、その他流動体などが貯まらない構造を持つと同時に、用途によっては、該荷台に液肥、粉体肥料やセメントなどの流動体を封しし、一時的にそれらが漏出しない構造を兼備した手押し一輪車もしくは複輪車を提供する。【解決手段】手押し一輪車１もしくは複輪車荷台２の底部５に格子状の皿もしくは複数の水流通用孔６を排水口に設けたことにより、雨水、液体などが自然に排水、漏出されると同時に該排水口に覆い部材やキャップなどを用いることで逆に排水や漏出の遮断も可能となる。【選択図】図１
0003131346.tif 000002
【実用新案登録請求の範囲】
【請求項１】
上面が開放した荷台の底部に排水口を設けた手押し一輪車もしくは複輪車。
【請求項２】
上面が開放した荷台の底部に格子状の皿もしくは複数の水流通用孔を設けた請求項１記載の手押し一輪車もしくは複輪車。
【請求項３】
排水口の表または裏部に覆い部材または止水栓を設けた請求項１、および請求項２記載の手押し一輪車もしくは複輪車。
【考案の詳細な説明】
【技術分野】
【０００１】
本発明は農作業や工事現場等で資材その他の運搬に用いられる手押し一輪車もしくは複輪車において排水機能を適時に付加できる構造としたものである。
【背景技術】
【０００２】
農作業や工事現場で使用される手押し一輪車もしくは複輪車は作業が終わればそのまま屋外に放置されることが多く雨露に曝されることとなる。  大部分の手押し一輪車もしくは複輪車は鋼鉄製であることから雨水が貯まったままの状態で置かれると荷台に錆が発生し、仕舞いには腐食のため穴があき使用不能となり製品寿命を大幅に短くしてしまう。
【０００３】
上記錆や腐食の防止策として該荷台を合成樹脂にて形成したものもみられるが、直射日光に曝されることの多い屋外作業では経時変化による劣化が起こりやすく、石ころ、砂利などの運搬が度重なると鋼鉄製荷台よりは耐久性の面で劣るという難点がある。
【特許文献１】特開平２００３-１０４２０６号  公報
【０００４】
また雨中での作業の場合、荷台に貯まった雨水抜きが必要であり、農作業においても野菜などの水洗いの後、水切りの必要がある場合もある。
【０００５】
また用途によっては農作業における液肥や粉体肥料の運搬、工事現場におけるセメントなどの流動体の運搬などもあることから、それらが該荷台から漏出しない本来の機能も考慮しておかねばならない。  従って用途に応じ、適時対応可能な構造を兼備した手押し一輪車もしくは複輪車が望まれる。
【考案の開示】
【考案が解決しようとする課題】
【０００６】
上記問題点に鑑み、本発明は該鋼鉄製荷台の錆や腐食の発生を遅らせ、本来の製品寿命を維持する為に、該荷台に雨水、液体、その他流動体などが貯まらない構造を持つと同時に用途によっては、該荷台に液肥、粉体肥料やセメントなどの流動体を封しし、一時的にそれらが漏出しない構造を兼備した手押し一輪車もしくは複輪車を提供することを目的とする。
【課題を解決するための手段】
【０００７】
上記目的を達成するため、本発明は該荷台の底部に排水口を設けたことにより雨水、液体などが自然に排水、漏出されるようになる。
【０００８】
該荷台の底部に格子状の皿もしくは複数の水流通用孔を排水口に設けたことにより、雨水、液体などが自然に排水、漏出される。またこれとは逆に該荷台に搭載されている物の流出や漏れを極小にする機能をも付加した。
【０００９】
すなわち該荷台に泥、セメント、薬液等の流動体や肥料等の粉体を運搬する際には該排水口の表または裏部に覆い部材または止水栓を設けることにより、それらが該排水口より漏出するのを防止することが出来る。
【考案の効果】
【００１０】
かかる排水口を具備した手押し一輪車もしくは複輪車によれば、使用後屋外に放置されて雨水等に曝されたとしても排水口の覆い部材または止水栓を外しておきさえすれば該荷台に雨水等が貯まることは無く、荷台の錆、腐食を遅らせることが出来る。
【００１１】
さらに該排水口にかかる覆い部材または止水栓を設けたことによれば泥、セメント、薬液等の流動体や肥料等の粉体を運搬したとしても、該荷台の外部に漏出することはない。
【考案を実施するための最良の形態】
【００１２】
本発明にかかる手押し一輪車もしくは複輪車は屋外に放置され、雨水等に曝されても該荷台に雨水等が貯まらないことを可能にしたこと、および用途によっては該荷台に搭載される液肥、粉体肥料やセメントなどの流動体を封しし、一時的にそれらが漏出しない構造を兼備したことを最大の特徴とする。以下、本発明にかかる手押し一輪車もしくは複輪車の実施形態を図面に基づいて説明する。
【００１３】
図１は、本発明にかかる手押し一輪車もしくは複輪車の第一の実施形態を示す斜視図である。
すなわち格子状の複数の水流通用孔６が該荷台底部５に一体成形されていることにより該荷台２に雨水等が貯まることは無く、また野菜などの水洗い後の水切りも手をかけずに出来てしまう。これにより該荷台２の錆、腐食を防止し、本来の製品寿命の保持が可能となる。また該排水口が一体成形されている第一の実施形態における構造の場合で泥、セメント、薬液などの流動体や肥料などの粉体の漏出を防止したい時にはラバーマグネットシート７等の覆い部材が該排水口の表または裏部に充てられる。
【００１４】
図２は本発明にかかる手押し一輪車もしくは複輪車１で該荷台底部５に格子状の皿８を取り付けし排水口とした第二の実施形態である。該格子状皿８の肢には着脱自在にキャップ１０等の覆い部材を取り付けられる凸部９を有している。なお該格子状皿の材質は錆の発生を防ぐためプラスチック製、ステンレス製であれば良い。この構造においては雨水等の貯まり水を発生させたくない場合も、また流動体や粉体の漏出を防止する場合でもどちらでもキャップ１０などの覆い部材を着脱させることで簡単に対応可能となっている。
【図面の簡単な説明】
【００１５】
【図１】本発明にかかる手押し一輪車の第一の実施形態を示す斜視図である。
【図２】本発明にかかる手押し一輪車の第二の実施形態を示す斜視図である。
【図３】本発明にかかる手押し一輪車の第一の実施形態における排水口の断面図である。
【図４】本発明にかかる手押し一輪車の第二の実施形態における排水口の断面図である。
【図５】本発明にかかる手押し一輪車の第二の実施形態における格子状皿の平面図である。
【符号の説明】
【００１６】
１  手押し一輪車
２  荷台
３  一輪車輪
４  握り部
５  荷台底部
６  複数の水流通孔部
７  マグネットシート
８  格子状皿
９  格子状皿肢部の凸部
１０  キャップ
【図１】
0003131346.tif 000003
【図２】
0003131346.tif 000004
【図３】
0003131346.tif 000005
【図４】
0003131346.tif 000006
【図５】
0003131346.tif 000007
【手続補正書】
【提出日】平成19年2月16日(2007.2.16)
【手続補正１】
【補正対象書類名】実用新案登録請求の範囲
【補正対象項目名】請求項３
【補正方法】変更
【補正の内容】
【請求項３】
排水口の表または裏部に覆い部材または止水栓を設けた請求項１または２記載の手押し一輪車もしくは複輪車。
(57)【要約】【課題】石鹸を使用する場所の近くに置かれた物品に付された細かい文字等を読むのに都合の良い石鹸入れを提供すること。【解決手段】石鹸を載せ置くための本体下と、当該本体下の上に設置され当該本体下に載せ置かれた石鹸を被覆する本体上とを備える石鹸入れにおいて、前記本体上の上壁に、当該上壁の一部を構成するルーペ（拡大鏡乃至拡大レンズ）を設けたことを特徴とする。【選択図】図１
0003131866.tif 000002
【実用新案登録請求の範囲】
【請求項１】
石鹸を載せ置くための本体下と、当該本体下の上に設置され当該本体下に載せ置かれた石鹸を被覆する本体上とを備える石鹸入れにおいて、前記本体上の上壁に、当該上壁の一部を構成するルーペを設けたことを特徴とする石鹸入れ。
【請求項２】
前記上壁の表面には、前記ルーペの周囲に、当該ルーペよりも高く上方に突出する突起物が設けられていることを特徴とする請求項１に記載の石鹸入れ。
【請求項３】
前記突起物は、前記ルーペの全周に亘って延在するよう枠状に形成されていることを特徴とする請求項２に記載の石鹸入れ。
【考案の詳細な説明】
【技術分野】
【０００１】
本考案は、本体上にルーペを設けた石鹸入れに関するものである。
【背景技術】
【０００２】
例えば、風呂場又は洗面所にはシャンプー、リンス、洗顔クリームなど様々な物が置かれ、それらの使用にあたり、それらの容器に貼られているシールに記載された注意事項や効能等の文字を読みたいことがままある。
【考案の開示】
【考案が解決しようとする課題】
【０００３】
しかしながら、それら文字は細かく、読みにくいことも多い。また、風呂場や洗面所では、眼鏡やコンタクトを外す場合も多いが、その場合には、シャンプー等の容器に記載された文字を読むことができず不便である。
【０００４】
本考案は、かかる問題点に鑑みなされたもので、石鹸を使用する場所の近くに置かれた物品に付された細かい文字等を読むのに都合の良い石鹸入れを提供することを目的としている。
【課題を解決するための手段】
【０００５】
請求項１記載の考案は、石鹸を載せ置くための本体下と、当該本体下の上に設置され当該本体下に載せ置かれた石鹸を被覆する本体上とを備える石鹸入れにおいて、前記本体上の上壁に、当該上壁の一部を構成するルーペ（拡大鏡乃至拡大レンズ）を設けたことを特徴とする。
【０００６】
請求項２記載の考案は、請求項１に記載の石鹸入れにおいて、前記上壁の表面には、前記ルーペの周囲に、当該ルーペよりも高く上方に突出する突起物が設けられていることを特徴とする。
【０００７】
請求項３記載の考案は、請求項２に記載の石鹸入れにおいて、前記突起物は、前記ルーペの全周に亘って延在するよう枠状に形成されていることを特徴とする。
【考案の効果】
【０００８】
本考案によれば、本体上に設けたルーペを利用することで、風呂場や洗面所で、眼鏡やコンタクトを付けなくても、シャンプーやリンスの容器に書いてある文字などが読み易くなる。特に、入浴時や洗面所ではメガネやコンタクトレンズを外している機会が多いので、風呂場や洗面所に常設されている石鹸入れの本体上（蓋）にルーペが設けてあれば便利である。
【考案を実施するための最良の形態】
【０００９】
図１は、本考案の石鹸入れを示す斜視図であり、図２は、図１の斜視図をA―A´で割った断面図であり、図３は、本体上部の使用状態を示す図である。
【００１０】
図１及び図２に示すように、本考案の石鹸入れ１は本体下（上蓋）２と本体下（下蓋）３とを備えている。
このうち、本体下２は、石鹸を載せ置くものであり、特に限定はされないが、ガラス材やプラスチック材で形成されている。
一方、本体上３は、本体下２の上に設置され、本体下２に載せ置かれた石鹸を被覆するものである。この本体上３は、特に制限はされないが、ガラス材やプラスチック材で形成されている。そして、本体上３の上壁３０の中央には、当該上壁３０の一部を構成するルーペ４が設けられている。このルーペ４は、特に限定はされないが、ガラス材や例えばアクリル樹脂などの透明プラスチック材で成形されている。また、本体上３の上壁３０の表面には、ルーペ４を２方向から挟み込むように突起物５が形成されている。この突起物５の上面は、ルーペ４よりも上方に突出するように形成されている。
【００１１】
ここで、ルーペ４及び突起物（保護枠）５の本体上３への取付方法について説明すれば、本体上３の上壁３０に孔を予め形成しておき、その孔に後からルーペ４を設置しても良い。この場合のルーペ４の固定は例えば接着剤を用いて行われる。また、突起物５は、本体上３と同一材質の場合には、本体上３と一体に成型しても良いし、後から、例えば接着剤により取り付けても良い。
なお、本体上３とルーペ４とが同一材質の場合には一体的に成型することもできる。
【００１２】
次に、本体上３の使用方法について説明すれば、本体上３は、普段は、本体下２に設置され、本体下２に載せ置かれた石鹸を被覆する。
また、本体上３のルーペ４で文字を読む場合には、本体上３を本体下２から取り外し、読みたい文字が付されている物品に本体上３を当て或いは近づけるようにし、文字を読む。図３には、この一例が示されている。すなわち、ルーペ４を通して「薬用ハミガキ」の文字を読む場合を図３は示している。
【００１３】
続いて、本体上３に設けられた突起物５の役割について説明すれば、石鹸使用時等に、本体上３を本体下２から取り外し、本体上３を天地逆にして床に置く場合には、ルーペ４が床に直接触れないようにしてルーペ４の傷の発生を防止する役割を果たす。また、本体上３を誤って床に落とした場合には、ルーペ４が床に直接触れないようにしてルーペ４の割れの防止や傷発生の防止や汚れの防止の役割を果たす。
【００１４】
以上、本考案の実施形態を説明したが、本考案は、かかる実施形態に限定されるものではなく、その要旨を逸脱しない範囲で種々変形が可能であることはいうまでもない。
例えば、上記実施形態の石鹸入れ１では、石鹸入れ全体を矩形としたが、円形であっても良いことは勿論である。この場合のルーペを本体上３の上方から見た形は矩形に限定されない。要は、その拡大機能を損なわないことである。したがって、円形その他の形であっても良い。
また、ルーペ４を保護するための突起物５の形状も、上記実施形態に限定されるものではない。例えば、柱状突起を所定の間隔で複数設けても良いし、ルーペ４の全周を取り囲むように延在するように枠状のものとしても良い。
【図面の簡単な説明】
【００１５】
【図１】本考案のルーペ付き石鹸入れを示す斜視図である。
【図２】図１の斜視図をA−Aで割った断面図である。
【図３】本体上部を使って商品を写し、その文字が拡大されている図である。
【符号の説明】
【００１６】
１  石鹸入れ
２  本体下
３  本体上
４  ルーペ
５  突起物
３０  上壁
【図１】
0003131866.tif 000003
【図２】
0003131866.tif 000004
【図３】
0003131866.tif 000005
(57)【要約】      （修正有）【課題】内部のケーブルからの放射電磁波に起因する電磁ノイズを大きく減少させ、かつ表面に帯電に起因する粉塵の吸着が生じないようにする。【解決手段】ケーブルを収納する略樋状の例えばポリカーボネート等の樹脂製のダクト本体１００と、このダクト本体１００を閉塞する例えばポリカーボネート等の樹脂製の蓋体とを備えており、前記ダクト本体１００及び蓋体の表裏両面には導電性を有する金属メッキ３００が施されている。【選択図】図２
0003131806.tif 000002
【実用新案登録請求の範囲】
【請求項１】
ケーブルを収納する略樋状の樹脂製のダクト本体と、このダクト本体を閉塞する樹脂製の蓋体とを具備しており、前記ダクト本体及び蓋体の表裏両面には導電性を有する金属メッキが施されていることを特徴とするケーブルダクト。
【請求項２】
前記金属メッキは、無電解メッキ方法で施されていることを特徴とする請求項１記載のケーブルダクト。
【請求項３】
前記金属メッキは、銅ニッケルメッキであることを特徴とする請求項１又は２記載のケーブルダクト。
【考案の詳細な説明】
【技術分野】
【０００１】
本考案は、ケーブルダクトに関する。
【背景技術】
【０００２】
従来のケーブルダクトとしては、ケーブルを収納する略樋状の樹脂製のダクト本体と、このダクト本体を閉塞する樹脂製の蓋体とから構成されるものがある。
【０００３】
ダクト本体は、断面略凹字形状であって、対向する側面にはケーブルを横方向に引き出すための開口部が一定ピッチで形成されている。また、このダクト本体の底面には、ダクト本体を固定するためのネジが貫通する長孔状の貫通孔が一定ピッチで形成されている。かかるダクト本体の側面の上端部には、前記蓋体の凸脈部が嵌まり込むためのくびれ部が形成されている。
【０００４】
一方、前記蓋体は、前記くびれ部に嵌まり込む凸脈部が縁部に設けられている。
【０００５】
一般的に、この種のケーブルダクトは、樹脂製であるため、外部に対してケーブルの発する電磁ノイズを与えるという問題点がある。
【０００６】
かかる電磁ノイズの問題点を解消したケーブルダクトとして、実開平５−２９２２８に開示されたものがある。
このケーブルダクトは、内部全面に電気伝導性のメッキが施されたものである。
【０００７】
【特許文献１】実開平５−２９２２８
【考案の開示】
【考案が解決しようとする課題】
【０００８】
しかしながら、この実開平５−２９２２８に開示されたダクトにも以下のような問題点がある。
すなわち、ケーブルダクトの表面は、樹脂がむき出しになっているため、静電気が帯電することで粉塵等が吸着されることがある。この種のケーブルダクトは、クリーンルームで使用されることがあるので、粉塵の付着は問題がある。
【０００９】
本考案は、上記事情に鑑みて創案されたもので、静電気に起因する粉塵の付着が発生しないケーブルダクトを提供することを目的としている。
【課題を解決するための手段】
【００１０】
本考案に係るケーブルダクトは、ケーブルを収納する略樋状の樹脂製のダクト本体と、このダクト本体を閉塞する樹脂製の蓋体とを備えており、前記ダクト本体及び蓋体の表裏両面には導電性を有する金属メッキが施されている。
【考案の効果】
【００１１】
本考案に係るケーブルダクトは、タクト本体の表裏両面と、蓋体の表裏両面とに導電性を有する金属メッキが施されているため、内部がシールドされる。よって、内部のケーブルからの放射電磁波に起因する電磁ノイズが大きく減少する。
しかも、表面側も導電性を有する金属メッキが施されているため、表面が帯電せず、帯電に起因する粉塵の吸着が生じないので、特にクリーンルームでの使用に適している。
【考案を実施するための最良の形態】
【００１２】
図１は本考案の実施の形態に係るケーブルダクトの図面であって、同図（Ａ）は概略的一部破断正面図、同図（Ｂ）は概略的側面図、同図（Ｃ）は概略的底面図、図２は本考案の実施の形態に係るケーブルダクトの要部の拡大断面図、図３は本考案の実施の形態に係るケーブルダクトの使用状態を示す概略的断面図である。
【００１３】
本考案の実施の形態に係るケーブルダクトは、ケーブル４００を収納する略樋状の例えばポリカーボネート等の樹脂製のダクト本体１００と、このダクト本体１００を閉塞する例えばポリカーボネート等の樹脂製の蓋体２００とを備えており、前記ダクト本体１００及び蓋体２００の表裏両面には導電性を有する金属メッキ３００が施されている。
【００１４】
本考案の実施の形態に係るケーブルダクトは、形状的には従来のものと略同一である。すなわち、ダクト本体１００は、断面略凹字形状であって、対向する側面１１０にはケーブルを横方向に引き出すための開口部１１１が一定ピッチで形成されている。また、このダクト本体１００の底面１２０には、ダクト本体１００を固定するためのネジが貫通する長孔状の貫通孔１２１が一定ピッチで形成されている。かかるダクト本体１００の側面１１０の上端部には、前記蓋体２００の凸脈部２１０が嵌まり込むためのくびれ部１１２が形成されている。
【００１５】
また、前記蓋体２００は、前記くびれ部１１２に嵌まり込む凸脈部２１０が縁部に設けられている。この凸脈部２１０を前記くびれ部１１２にスナップアクションで嵌め込むことにより、蓋体２００がダクト本体１００を閉塞する。
【００１６】
前記ダクト本体１００や蓋体２００の表裏両面には、無電解メッキ方法によって、金属メッキ３００（銅ニッケルメッキ）が施されている。
【００１７】
このように構成されたケーブルダクトは、図３に示すように、例えば、配線ボックス６００のグランドされた取付箇所にネジ５００によって取り付けられる。ケーブルダクトに納められたケーブル４００からは放射電磁波が発生するが、ダクト本体１００や蓋体２００の表裏両面に金属メッキ３００が施されているため、放射電磁波によって生じる高周波電流がはグランドに流れ、電磁ノイズは大きく減少する。
【００１８】
また、このケーブルダクトの表面、すなわちダクト本体１００の表面及び蓋体２００の表面は、金属メッキが施されているので帯電しない。このため、空気中を漂っている粉塵は、ケーブルダクトの表面に吸着されることがない。クリーンルームであると、粉塵は粉塵吸着フィルタに確実に吸着される。
【００１９】
なお、本考案に係るケーブルダクトの形状は、図示したものに限定されることがないのはいうまでもない。
【図面の簡単な説明】
【００２０】
【図１】本考案の実施の形態に係るケーブルダクトの図面であって、同図（Ａ）は概略的一部破断正面図、同図（Ｂ）は概略的側面図、同図（Ｃ）は概略的底面図である。
【図２】本考案の実施の形態に係るケーブルダクトの要部の拡大断面図である。
【図３】本考案の実施の形態に係るケーブルダクトの使用状態を示す概略的断面図である。
【符号の説明】
【００２１】
１００    ダクト本体
１１０    （ダクト本体の）側面
１１１    開口部
１１２    くびれ部
１２０    （ダクト本体の）底面
１２１    貫通孔
２００    蓋体
２１０    凸脈部
３００    金属メッキ
【図１】
0003131806.tif 000003
【図２】
0003131806.tif 000004
【図３】
0003131806.tif 000005
(57)【要約】      （修正有）【課題】容易且つ短時間に口栓を紙パックから切除し、リサイクルに要する費用の低減化を図る。【解決手段】紙パックに固定するための固定部分と液体を注ぐための注ぎ口部分とから成る口栓を紙パックから取り除くための紙パック用口栓切除具１であって、口栓の注ぎ口部分に挿入可能なように突設された注ぎ口挿入部と、口栓の固定部分の外周部に沿って形成され、先端に刃１０が設けられた切断部７とを備えている。【選択図】図２
0003131803.tif 000002
【実用新案登録請求の範囲】
【請求項１】
紙パックに固定するための固定部分と液体を注ぐための注ぎ口部分とから成る口栓を紙パックから取り除くための紙パック用口栓切除具であって、
前記口栓の注ぎ口部分に挿入可能なように突設された注ぎ口挿入部と、
前記口栓の固定部分の外周部に沿って形成され、先端に刃が設けられた切断部と、
を備えていることを特徴とする紙パック用口栓切除具。
【考案の詳細な説明】
【技術分野】
【０００１】
本考案は、日本酒やみりん等を収容する紙パックをリサイクルする際に口栓を紙パックから取り除くための紙パック用口栓切除具に関する。
【背景技術】
【０００２】
近年のリサイクルに対する社会的要請の増大に伴い、日本酒やみりん等を収容する紙パックについても、使用後に、可燃性の紙部分と不燃性であるプラスチック製の口栓とに分離してリサイクルすることが求められている。
【０００３】
そして、従来、この種の紙パックをリサイクルする場合、鋏やカッター等を使用して、口栓を紙パックから切除し、紙部分と口栓とに分離していた。
【考案の開示】
【考案が解決しようとする課題】
【０００４】
しかしながら、上記した従来の鋏やカッター等を使用して行う方法では、口栓を紙パックから切除するのに非常に手間と時間が掛かり、リサイクルに要する費用が嵩むといった問題があった。
【０００５】
本考案は、上記した課題を解決すべくなされたものであり、容易且つ短時間に口栓を紙パックから切除することができ、リサイクルに要する費用の低減化が可能な紙パック用切除具を提供することを目的とするものである。
【課題を解決するための手段】
【０００６】
上記した課題を解決するため、本考案は、紙パックに固定するための固定部分と液体を注ぐための注ぎ口部分とから成る口栓を紙パックから取り除くための紙パック用口栓切除具であって、前記口栓の注ぎ口部分に挿入可能なように突設された注ぎ口挿入部と、前記口栓の固定部分の外周部に沿って形成され、先端に刃が設けられた切断部とを備えていることを特徴とする。
【考案の効果】
【０００７】
本考案によれば、容易且つ短時間に口栓を紙パックから切除することができ、リサイクルに要する費用の低減化を図ることができる。
【考案を実施するための最良の形態】
【０００８】
以下、図面を参照しつつ、本考案の実施の形態について説明する。ここで、図１は本考案の実施の形態に係る紙パック用切除具で口栓を取り除く紙パックを示す斜視図、図２は同紙パック用切除具を示す断面図、図３は同紙パック用切除具を示す平面図、図４は同紙パック用切除具を示す先端側側面図、図５は同紙パック用切除具で口栓を紙パックから取り除いている状態を示す断面図である。
【０００９】
図１本実施の形態に係る紙パック用切除具１を使用する紙パック２には、プラスチック製の口栓３が設けられている。この口栓３は、紙パック２の内側に貼り付けられる外鍔状の固定部分４と、円筒形状を成し、外面が螺刻され、紙パック２から外側に突出する注ぎ口部分５と、注ぎ口部分５に螺合するキャップ（図示省略）とから構成されている。
【００１０】
そして、本実施の形態に係る紙パック用切除具１は、略円筒形状を成し、口栓３の注ぎ口部分５に挿入可能なように先端に突設された注ぎ口挿入部６と、口栓３の固定部分４の外周部に沿うように先端に形成された切断部７と、基端側に形成された把持部８とを備えて構成されている。
【００１１】
注ぎ口挿入部６は、注ぎ口部分５に挿入し易いように先端が湾曲した先細り形状を成しており、注ぎ口部分５の長さと略等しい突出長を有している。
【００１２】
切断部７は、注ぎ口挿入部６を囲繞するように同心円筒状に形成された外周部９と、外周部９の先端に所定間隔で取り付けられた複数（図４では６個）の刃１０とにより構成されており、各刃１０は紙パック用切除具１を右回転することにより先端方向に前進するように設けられている。
【００１３】
また、把持部８には、把持した時に滑り難くなるように、複数の凹部１１が形成されている。
【００１４】
このような構成を備えた紙パック用切除具１を使用する場合、把持部８を把持し、注ぎ口挿入部６を口栓３の注ぎ口部分５に挿入する。そうすると、図５に示されているように、切断部７の刃１０は、口栓３の固定部分４の外周部に沿った位置において紙パック２の外面に当接する。この状態で、紙パック用切除具１を右方向に回転して先端方向に前進させると、刃１０により紙パック２が口栓３の固定部分４の外周部に沿って切除され、口栓３は紙パック２から切り離される。
【００１５】
このように上記した紙パック用切除具１によれば、注ぎ口挿入部６を口栓３の注ぎ口部分５に挿入することによって切断部７の刃１０が口栓３の固定部分４の外周部に沿った位置に位置決めされるため、紙パック用切除具１を回転動作するだけで、容易且つ短時間に口栓３を紙パック２から切除することができ、リサイクルに要する費用の低減化を図ることができる。
【００１６】
なお、上記した実施の形態において、紙パック用切除具１は略円筒形状を成しているが、これは単なる例示に過ぎず、例えば、紙パック用切除具１の回転動作を容易にするため把持部８が先端側部分より太くなるように形成したりする等、各種変更が可能である。
【００１７】
また、切断部７に取り付ける刃１０の取り付け位置や形状についても、外周部９全体に渡って取り付けたり、或いは、鋸歯状に形成したりする等、各種変更が可能である。
【００１８】
さらに、
【図面の簡単な説明】
【００１９】
【図１】本考案の実施の形態に係る紙パック用切除具で口栓を取り除く紙パックを示す斜視図である。
【図２】本考案の実施の形態に係る紙パック用切除具を示す断面図である。
【図３】本考案の実施の形態に係る紙パック用切除具を示す平面図である。
【図４】本考案の実施の形態に係る紙パック用切除具を示す先端側側面図である。
【図５】本考案の実施の形態に係る紙パック用切除具で口栓を紙パックから取り除いている状態を示す断面図である。
【符号の説明】
【００２０】
１          紙パック用切除具
２          紙パック
３          口栓
４          固定部分
５          注ぎ口部分
６          注ぎ口挿入部
７          切断部
１０        刃
【図１】
0003131803.tif 000003
【図２】
0003131803.tif 000004
【図３】
0003131803.tif 000005
【図４】
0003131803.tif 000006
【図５】
0003131803.tif 000007
(57)【要約】      （修正有）【課題】染毛薬剤を塗布するへら部分がプラスチック製の染毛用具は、硬く被術者の頭皮に対し不快感を与えていた。【解決手段】硬質な柄１の先に柔軟部材で形成したへら２を装着した。前記柔軟部材がゴムまたはエラストマー樹脂であり、前記へら２が、基部厚み約３ｍｍで先端厚み約１ｍｍの先細り形状である。また、硬質な柄１の先端側面に前記へら２を３０度ほど傾けて取り付け、このへら２に対峙させ逆側に櫛３を設けた。【選択図】図３
0003131825.tif 000002
【実用新案登録請求の範囲】
【請求項１】
硬質な柄１の先に柔軟部材で形成したへら２を装着した染毛用具。
【請求項２】
前記柔軟部材がゴムまたはエラストマー樹脂である請求項１記載の染毛用具。
【請求項３】
前記へら２が、基部厚み約３ｍｍで先端厚み約１ｍｍの先細り形状である請求項１または請求項２記載の染毛用具。
【請求項４】
硬質な柄１の先端側面に前記請求項１乃至請求項３記載のへら２を３０度ほど傾けて取り付け、このへら２に対峙させ逆側に櫛３を設けた染毛用具。
【考案の詳細な説明】
【技術分野】
【０００１】
本考案は、理容及び美容技術分野で使用するヘアカラー剤やストレートパーマ剤、トリートメント剤など粘性の高い薬剤を髪へ塗布する染毛用具に関する。
【背景技術】
【０００２】
カラー染毛用具として櫛やへら等いろいろな塗布具が提案されている。例えば特許文献１のものは櫛とへらとを一体化したものであり、特許文献２のものは櫛歯とブラシ毛を一体化したものである。また特許文献３のものは容器と一体の櫛歯の根本付近に毛髪化粧料を均等に吐出する手段を開示している。
【特許文献１】実用新案登録第３０５３３８２号公報
【特許文献２】特開２００４−１５４４２６号公報
【特許文献３】特開２００４−１４８０３０号公報
【考案の開示】
【考案が解決しようとする課題】
【０００３】
染毛用の薬剤を塗布する刷毛の場合、ナイロン製の刷毛は劣化が早く、劣化した状態で使用すると毛髪のキューティクルを痛めてしまう恐れがあった。そして薬剤を含むと刷毛の幅が広くなってしまうためカラー剤塗付時の正確な作業が出来なかった。また刷毛に薬剤が含まれているために最後はその分が無駄になってしまう。そこで刷毛に代えて特許文献１のようなへらを用いたものがあるが、一般的にへら部分の材質が柄と一体のプラスチック製なため硬く被術者の頭皮に対し不快感を与えていた。本考案はかかる欠点を解消すべく為されたものである。
【課題を解決するための手段】
【０００４】
本考案の染毛用具は、硬質な柄１の先に柔軟部材で形成したへら２を装着したものである。また前記柔軟部材がゴムまたはエラストマー樹脂であり、前記へら２が、基部厚み約３ｍｍで先端厚み約１ｍｍの先細り形状である。また硬質な柄１の先端側面に前記へら２を３０度ほど傾けて取り付け、このへら２に対峙させ逆側に櫛３を設けたこと等を特徴としている。
【考案の効果】
【０００５】
弾力性のあるエラストマー樹脂等を用い、先細りのへらとしたので髪や頭皮に対して負担が無く、従来のナイロン製の刷毛に比べ耐久性も向上した。塗布部先端が柔軟で薄いへらである為に、ヘアカラー塗布時の正確な作業がし易くなった。へら部は刷毛のように薬剤を溜め込まない為に作業時における薬剤の無駄も無くなった。
【考案を実施するための最良の形態】
【０００６】
本考案の染毛用具は、硬質な柄の先にゴムまたはエラストマー樹脂等の幅のある柔軟部材で形成したへらを装着したものである。
【実施例１】
【０００７】
本考案、染毛用具の実施例１のものは、図1に示すように硬質なプラスチック製の柄１の先に幅のある柔軟部材で形成したへら２を設けたものである。そしてこのへら２の材質は、ゴムまたはエラストマー樹脂等を使用している。この実施例では、へらの長さは３０ｍｍ、幅は３５ｍｍとし、へらの厚みは柄の基端部分が約３ｍｍで先端に向かうほど薄くして約１ｍｍにしてある。従ってこのへら２を用いて染毛薬剤を頭髪に塗布すると、へら部分が柔軟に曲がるので髪や頭皮に対して負担が無く、ヘアカラー塗布時の正確な作業がし易くなる。
【実施例２】
【０００８】
図３は硬質なプラスチック製の柄１の先端側面に実施例１のへら２を３０度ほど傾けて取り付け、このへら２に対峙させ逆側に櫛３を設けたものである。へらの材質は同様に幅のあるゴムまたはエラストマー樹脂等を使用し柔軟に曲がるようにした。またこのへら２は、柄１側の基端から先端までの長さが３０ｍｍ、幅が５６ｍｍ、基部の厚さが約３ｍｍで先端へ行くほど薄くし先端は約１ｍｍにしてある。
【図面の簡単な説明】
【０００９】
【図１】本考案の染毛用具、実施例１の平面図である。
【図２】図１の側面図である。
【図３】実施例２の平面図である。
【図４】図３のＡ−Ａ線断面図である。
【符号の説明】
【００１０】
１  柄
２  へら
３  櫛
【図１】
0003131825.tif 000003
【図２】
0003131825.tif 000004
【図３】
0003131825.tif 000005
【図４】
0003131825.tif 000006
(57)【要約】【課題】肉を焼く際に生じる余分な脂分を切り、焼いた肉が油っぽくなるのを防ぐことができる焼肉プレートを提供する。【解決手段】焼肉用プレート１を、火山石等の石板を用いて、略平面状の焼き面２の周囲に所要高さの段差を設けて周縁凸部３を形成すると共に、所望の外形形状に形成する。焼肉用プレート１の焼き面２を側面視で緩やかなテーパ状に形成すると共に、焼き面２の任意の端部から周縁部３に向かって下方に傾斜してなる油抜き溝条４を設ける。【選択図】  図１
0003131812.tif 000002
【実用新案登録請求の範囲】
【請求項１】
任意形状の石板の周囲に所要高さの段差を設けてテーパ状の焼き面を形成すると共に、該焼き面端部から外縁に向かって下方に傾斜してなる油抜き溝条を設けたことを特徴とする焼肉プレート。
【考案の詳細な説明】
【技術分野】
【０００１】
本考案は、焼肉用プレートに関し、更に詳しくは、火山石等の石板を用いて形成された焼肉プレートに関するものである。
【背景技術】
【０００２】
焼肉プレートとしては、従来から各種の材質・形状・形態をしたものが提供されているが、平面で焼くと脂分が切れず、プレートの焼き面に油が溜まり焼いた肉が脂っぽくなるという問題があった。そこで、例えば、周縁部に油受け用の環状溝を設けたアルミニューム板や鉄板等の金属から成るバーベキュー用焼板（特許文献１参照。）。所定厚さの石盤から成り、表面の外側辺部に焼き汁が溜まる溝を形成した石焼き調理器（特許文献２参照。）。陶磁器製で波形状の構造からなり、プレートの尾根両側の谷の部分に油や肉汁を溜めるようにされた焼き肉プレート（特許文献３参照。）等が先行技術として開示されている。
【０００３】
【特許文献１】実開昭６０−６４７３１号公報
【特許文献２】登録実用新案第３０５４０９７号公報
【特許文献３】特開２００１−２５２１９４号公報
【考案の開示】
【考案が解決しようとする課題】
【０００４】
本考案もまた上記のような従来技術の課題に鑑み、肉を焼く際に生じる余分な脂分を切り、焼いた肉が油っぽくなるのを防ぐことができる焼肉プレートを提供することを目的とする。
【課題を解決するための手段】
【０００５】
そこで、本考案の焼肉プレートは、任意形状の石板の周囲に所要高さの段差を設けてテーパ状の焼き面を形成すると共に、該焼き面端部から外縁に向かって下方に傾斜してなる油抜き溝条を設けたことを特徴とする。
【考案の効果】
【０００６】
本考案に係る焼肉プレートは、テーパ状の焼き面を形成すると共に、該焼き面端部から外縁に向かって下方に傾斜してなる油抜き溝条を設けたので、肉を焼く際に生じる余分な油をプレート外に排出することができ、焼いた肉が油っぽくなるのを防ぐことができる。
【考案を実施するための最良の形態】
【０００７】
以下、本考案の実施例を図面に基づいて詳細に説明するが、本考案は図示した実施例に限定されるものではなく、その要旨を越えない範囲において自由に変更可能であることは言うまでもない。
【実施例】
【０００８】
図１に示すように、本考案に係る焼肉用プレート１は、略平面状の焼き面２周囲に所要高さの段差を設けて周縁凸部３が形成されていることを基本形状とし、火山石等の石板を用いて所望の外形形状に形成される。尚、焼肉用プレート１形成する石板は耐火性のあるものであれば良く、その具体的な種類は問わない。
【０００９】
図２に示すように、焼肉用プレート１の焼き面２は側面視で緩やかなテーパ状に形成されると共に、焼き面２の一方の端部から周縁部３に向かって下方に傾斜してなる油抜き溝条４が設けられている。
【００１０】
図３に焼肉用プレート１の使用方法を示す。つまり焼肉用プレート１の油抜き溝条４が外向きになるように卓上コンロ５の上に載置する。この状態で肉を焼けば、余分な油や肉汁はテーパ状の焼き面２から油抜き溝条４を通って流れ落ちる。その際、油抜き溝条４の下方には油溜め容器６を配置しておく。
【００１１】
尚、本考案の焼肉用プレート外観は、矩形や円形のように幾何学的な形にも形成しても良いが、観者に野趣ある自然な岩石のイメージを与える形に形成するのが好ましい。
【図面の簡単な説明】
【００１２】
【図１】本考案に係る焼肉用プレートの一実施例を示す平面図である。
【図２】本考案に係る焼肉用プレートの側面断面図である。
【図３】焼肉用プレートの使用状態を示す斜視図である。
【符号の説明】
【００１３】
１  焼肉用プレート
２  焼き面
３  周縁凸部
４  油抜き溝条
５  卓上コンロ
６  油溜め容器
【図１】
0003131812.tif 000003
【図２】
0003131812.tif 000004
【図３】
0003131812.tif 000005
(57)【要約】【課題】食器の絵柄や模様を活用すると共に、配膳を手早くする。【解決手段】調理物を盛付けた食器Ｗを収納して配膳するのに用いる配膳用容器であり、容器本体１と蓋体２とから成り、容器本体１の周壁部３に窓孔４を開設することによって、容器本体１内に収納した食器Ｗの絵柄や模様を窓孔４を通し外部に表出させると共に、かかる窓孔４を配膳すべき方向の目印にする。【選択図】図１
0003131852.tif 000002
【実用新案登録請求の範囲】
【請求項１】
調理物を盛付けた食器を収納して配膳するのに用いる配膳用容器であり、容器本体と蓋体とから成り、容器本体の周壁部に窓孔を開設したことを特徴とする配膳用容器。
【請求項２】
上記窓孔に透明素材で形成した窓蓋を嵌設したことを特徴とする請求項１記載の配膳用容器。
【考案の詳細な説明】
【技術分野】
【０００１】
本考案は、調理物を盛付けた食器を収納して、御膳、飯台、食卓など食事の席に供出される配膳用容器に関する。
【背景技術】
【０００２】
従来より、調理物を配膳するのに種々の食器が使われ、特に日本料理においては、様々な絵柄や模様、形状の食器を数多く用意し、時節や調理物との組合わせを考慮し、使用の都度適宜選択している。
又、調理物の種類により、例えば、尾頭付の魚は配膳方向に慣習上の決まりがあり、また食器の絵柄や模様、形状によって、配膳の向きが決まる場合もあり、更には食器内に仕切りがあり、同一食器に複数種類の調理物を相盛りする場合も、配膳方向に気を配らなければならない。
【考案の開示】
【考案が解決しようとする課題】
【０００３】
ところが、料亭や旅館などで大勢の席を準備する場合は、予め調理物を数品目配膳しておくのが通例で、埃などの付着を防ぐために、調理物を盛付けた食器を配膳用容器に収容し、該配膳用容器に蓋をして、配膳を行っていた。
すると、折角綺麗な絵柄や模様の食器を使用しているのに、絵柄や模様が見えなかったり、また蓋をしたままでは配膳用容器内の調理物や食器の向きが判らず、蓋を開けて配膳用容器の中の確認をせねばならず、甚だ難儀であった。
【課題を解決するための手段】
【０００４】
本考案は、上記課題に鑑み、調理物を盛付けた食器を収納して配膳するのに用いる配膳用容器であり、容器本体と蓋体とから成り、容器本体の周壁部に窓孔を開設することによって、容器本体内に収納した食器の絵柄や模様を窓孔を通し外部に表出させると共に、かかる窓孔を配膳すべき方向の目印にし、上記課題を解決する。
【考案の効果】
【０００５】
要するに本考案は、調理物を盛付けた食器を収納して配膳するのに用いる配膳用容器であり、容器本体と蓋体とから成り、蓋体ではなく、容器本体の周壁部に窓孔を開設したので、容器本体内に収納した食器（食器側面）の絵柄や模様を窓孔を通し外部に表出させ、絵柄や模様を使用者に楽しませることが出来る。
又、調理物の種類や、食器の形状等によって、配膳方向を考慮せねばならない場合であっても、容器本体に食器を収納する際、窓孔を目印にし、食器向きを適切方向に合わせておけば、蓋体を外さなくとも、窓孔位置から適切な向きを認識でき、配膳を手早く行うことが出来る。
【０００６】
窓孔に透明素材で形成した窓蓋を嵌設したので、窓蓋を通し容器本体の内部の様子を確認させ、上記の効果と同様の効果を奏するばかりか、窓孔が閉じているので、窓孔から埃が侵入せず、より衛生的である等その実用的効果甚だ大である。
【考案を実施するための最良の形態】
【０００７】
以下、本考案の一実施形態について図面に基づき説明する。
図１は本考案に係る配膳用容器の正面図、図２は蓋体を取外した状態での正面図、図３は同上平面図、図４は図２のＡ−Ａ断面図、図５は図３のＢ−Ｂ断面図である。
【０００８】
各図に示す様に、本考案の配膳用容器は、枡形状の容器本体１と、蓋体２とから成り、容器本体１の正面側の周壁部３の上端中央に窓孔４を開設している。
又、図６に示す様に、窓孔４に透明素材で形成した窓蓋５を嵌設して、窓孔４を閉じても良い。
【０００９】
尚、本実施例のものでは、容器本体１は枡形状であるが、限定はされず、例えば円筒形状でも良く、また窓孔４は、恰も周壁部３の上端を切り欠いた様に、周壁部３の上端から略半円形状に形成されているが、この形態に限定はされず、周壁部３の中央に適宜形状にて貫設しても良く、また正面側だけではなく、背面側、側面側にも設けても良い。
【００１０】
使用時には、先ず容器本体１に食器Ｗを収納し、蓋体２を被せる。この時、窓孔４を目印にし、配膳後に使用者に対向すべき食器Ｗの側面を窓孔４に臨ませる。
そして、配膳時は、窓孔４を使用者側に向けて、配膳用容器を並べる。
【００１１】
尚、図１に示す様に、配膳用容器を単体で使用しても良いが、図７に示す様に、容器本体１を複数個積み重ねて使用しても良い。
【図面の簡単な説明】
【００１２】
【図１】本考案に係る配膳用容器の正面図である。
【図２】蓋体を取外した状態での正面図である。
【図３】同上平面図である。
【図４】図２のＡ−Ａ断面図である。
【図５】図３のＢ−Ｂ断面図である。
【図６】窓孔に窓蓋を嵌設した容器本体のＡ−Ａ断面図である。
【図７】容器本体を積み重ねた状態の正面図である。
【符号の説明】
【００１３】
１  容器本体
２  蓋体
３  周壁部
４  窓孔
５  窓蓋
【図１】
0003131852.tif 000003
【図２】
0003131852.tif 000004
【図３】
0003131852.tif 000005
【図４】
0003131852.tif 000006
【図５】
0003131852.tif 000007
【図６】
0003131852.tif 000008
【図７】
0003131852.tif 000009
(57)【要約】【課題】見栄えも良く且つ贈られた側に良い印象を与えることができる券類贈答用箱を提供する。【解決手段】栞５と共に券類４としてワイシャツの仕立て券が収納された箱本体２を閉止する蓋体３に内部を目視可能な窓３ａを設ける。【選択図】図１
0003131854.tif 000002
【実用新案登録請求の範囲】
【請求項１】
栞と共に券類が収納された箱本体を閉止する蓋体に内部を目視可能な窓を設けたことを特徴とする券類贈答用箱。
【請求項２】
券類は折り畳んだ栞に挟まれている請求項１記載の券類贈答用箱。
【請求項３】
折り畳んだ栞はワイシャツのイメージを与える請求項１又は２記載の券類贈答用箱。
【請求項４】
券類はワイシャツの仕立て券である請求項１乃至３の何れかに記載の券類贈答用箱。
【考案の詳細な説明】
【技術分野】
【０００１】
本考案は、ワイシャツの仕立て券、デパート等の商品券、ビール券、図書券、音楽会、演劇、映画等の催し物の招待券等の各種券類を収容するようにした券類贈答用箱に関するものである。
【背景技術】
【０００２】
入学祝い、就職祝い、誕生祝い等のお祝いやバレンタインデイ等にワイシャツの仕立て券、デパート等の商品券、ビール券、図書券、音楽会或は演劇若しくは映画等の催し物の招待券等の各種券類を贈ることが行なわれている。
【考案の開示】
【考案が解決しようとする課題】
【０００３】
上述の券類は一般的には贈答用の箱に入れて贈られることが多く、贈答用の箱は比較的洒落て見栄えも悪くはないが、贈られた人に与える印象は今一つのものが多い。
【０００４】
本考案は、斯かる実情に鑑み、見栄えも良く且つ贈られた側に良い印象を与えることができる券類贈答用箱を提供することを目的としてなしたものである。
【課題を解決するための手段】
【０００５】
本考案の券類贈答用箱は、栞と共に券類が収納された箱本体を閉止する蓋体に内部を目視可能な窓を設けたものであり、券類は折り畳んだ栞に挟まれており、折り畳んだ栞はワイシャツのイメージを与えるようになっており、券類はワイシャツの仕立て券である。
【考案の効果】
【０００６】
本考案の請求項１〜４記載の券類贈答用箱によれば、箱本体内の券類を蓋体の窓を通して目視できるため、贈られた人に良い印象を与えることができ、又、ワイシャツの仕立て券を贈る場合に、栞がワイシャツのイメージを与えるようなデザインにすることにより更に一層良い印象を与えることができる。
【考案を実施するための最良の形態】
【０００７】
以下、本考案の実施の形態を添付図面を参照して説明する。
図１〜図５は本考案を実施する形態の一例である。
図中、１は券類贈答用箱であって、紙や樹脂製の直方体状の箱本体２と、該箱本体２の一側上縁に接続された紙や樹脂製の開閉可能な蓋体３と、箱本体２内に券類４と共に収納される紙製若しくは樹脂製の栞５とを備えている。蓋体３の中央部に設けた楕円形の孔には、箱本体２内が目視できるように透明若しくは半透明の樹脂製のシートが貼設されて窓３ａが形成されている。
【０００８】
栞５は展開した形状が長方形で、幅方向へは一定間隔で縦向きのストライプ５ａが印刷されている。ストライプ５ａは、栞５の幅方向中心から一定の範囲では、栞５の全高に亘り印刷されているが、この範囲を幅方向外側に超えた部分では、栞５の幅方向外側に向うに従い、徐々にストライプ５ａの高さが減少するよう形成されている。而して、栞５の左右両側の上端部には、ストライプ５ａの印刷されていない三角形状の空白部５ｂが形成されている。
【０００９】
栞５は、高さが減少を始める位置にあるストライプ５ａと平行な二点鎖線５ｃを基準として、ストライプ５ａが外表面に位置するよう折るようになっており、又、空白部５ｂのストライプ５ａ頂部との境界部にある二点鎖線５ｄを基準として、空白部５ｂの裏面側が外表面に位置するよう折るようになっている。而して、栞５を折った場合は、図５に示すように、ワイシャツを折り畳んだようなイメージが表現されるようになっている。又、栞５の折り畳んだ部分の内側には、例えば券類４としてワイシャツの仕立て券を挟み込み得るようになっている。
【００１０】
なお、図中、２ｂは、箱本体２の蓋体３が接続された側面と直角を成す二つの側面の上端に接続されて蓋体３を閉止した際に箱本体２の長手方向両端上部を部分的に覆うカバー、３ｂは蓋体３を閉止する際の折れ線、３ｃは蓋体３を閉止した際に、蓋体３が開かないよう、箱本体２の側部下面に形成されたスリット２ａに嵌入される係止片、６は折り畳んだ栞５が開かないように貼設するシールである。
【００１１】
ワイシャツの仕立て券を贈る際には、折り畳んだ栞５の合せ面に券類４として、ワイシャツの仕立て券を挿入し、券類４を挟んだ栞５を、栞５の合せ面及び空白部５ｂの裏面側が上面になるよう箱本体２内に収納し、蓋体３を閉止して係止片３ｃをスリット２ａに嵌入した状態にする。蓋体３には窓３ａが貼設してあるため、蓋体３を開かなくても内容物である券類４を目視でき、受取った人に良い印象を与えることができる。
【００１２】
この際、栞５は図４の空白部５ｂの折り返しが襟である縞模様のワイシャツのイメージとなり、券類４としてワイシャツの仕立て券を贈答された人に更に良い印象を与えることができる。又、バレンタインデイの贈答品にする場合には、ストライプ５ａの色彩をチョコレート色とするとなお一層強い印象を与えることができる。
【００１３】
なお、本考案の券類贈答用箱の実施の形態においては、贈られる券がワイシャツの仕立て券の場合について説明したが、ビール券、図書券、各種催し物の招待券等各種券類に対して用いることができること、券類は栞に挟まずに栞と箱本体の底面との間に挟むようにしても良いこと、蓋体は箱本体と接続されている場合について説明したが、離脱可能な構造でも良いこと、その他、本考案の要旨を逸脱しない範囲内において種々変更を加え得ることは勿論である。
【図面の簡単な説明】
【００１４】
【図１】本考案の券類贈答用箱の平面図である。
【図２】図１の券類贈答用箱を蓋体を開いて示す平面図である。
【図３】図２のＩＩＩ−ＩＩＩ方向矢視図である。
【図４】図１の券類贈答用箱の栞を展開した状態を示す平面図である。
【図５】図４の栞を折り畳んだ状態を示す平面図である。
【符号の説明】
【００１５】
１  券類贈答用箱
２  箱本体
３  蓋体
３ａ        窓
４  券類
５  栞
【図１】
0003131854.tif 000003
【図２】
0003131854.tif 000004
【図３】
0003131854.tif 000005
【図４】
0003131854.tif 000006
【図５】
0003131854.tif 000007
(57)【要約】      （修正有）【課題】ガラス、プラスチックまたは硬化合成樹脂材料等でつくられた、焼酎、清酒等のアルコール飲料等の液体を入れるための容器部分と、この液体に浸るような位置に、レモン等果実、薬草、煙草の葉等の清涼感増強物を固定保持するための部材、容器の内部に供えられたスプレー式の噴射装置、以上の各構成からなるスプレー式皮膚清涼液体用容器の提供。【解決手段】容器の内部のアルコール飲料等の液体にあらかじめ果実等の清涼感増強物が浸るような位置に固定保持用部材を配する。容器内部に従来既存のスプレー式噴射装置を配する。【選択図】図１
0003131188.tif 000002
【実用新案登録請求の範囲】
【請求項１】
１、ガラス、プラスチックまたは硬化合成樹脂材料等でつくられた、焼酎、清酒等のアルコール飲料等の液体を入れるための容器部分と
２、この液体に浸るような位置に、レモン等果実、薬草、煙草の葉等の清涼感増強物を固定保持するための部材
３、容器の内部に供えられたスプレー式の噴射装置
以上の各構成からなるスプレー式皮膚清涼液体用容器。
【考案の詳細な説明】
【技術分野】
【０００１】  本考案は，米、芋、麦、そば等でつくられたアルコール飲料等の液体に、あらかじめレモン等の果実、薬草、煙草の葉等の清涼感増強物を浸しておくことにより、足の５指の間等に発生するいわゆる水虫等や皮膚のかゆみ等を和らげるための皮膚清涼液体がつくれる容器である。容器内部に、清涼感増強物がこの液体に浸る状態を固定するための合成樹脂等でつくられた固定保持用部材を備える。容器内部にスプレー式噴射装置を備えることにより、手軽に持ち運びしたり患部に吹きつけたりすることができる。
【背景技術】
【０００２】  １、従来の容器にはアルコール飲料等の液体に果実等の清涼感増強物を固定保持して浸しておく部材がない。
２、従来の容器には患部に吹き付けるためのスプレー式噴射装置がない。
【考案が解決しようとする課題】
【０００３】  以上のように，従来の技術ではいろいろな問題を抱えている。そこで本考案において，解決しようとする課題は次のようなものである。
１、アルコール飲料等の液体に果実等の清涼感増強物を入れて皮膚清涼液体をつくりたいが、液体に清涼感増強物を浸しておく固定保持用部材がない。
２、容器内部に、皮膚患部に吹き付けるためのスプレー式噴射装置がついていないので手軽さがない。
【課題を解決するための手段】
【０００４】  本考案は，この課題を解決するという目標を達成するために次のような手段を講じる。
１、容器の内部のアルコール飲料等の液体にあらかじめ果実等の清涼感増強物が浸るような位置に固定保持用部材を配する。
２、容器内部に従来既存のスプレー式噴射装置を配する。
【考案を実施するための最良の形態】
【０００５】  本考案のもっとも好ましい実施の形態を添付図の図１に基づいて説明する。
図１において，１はガラス、プラスチックまたは硬化合成樹脂材料等でつくられたスプレー式皮膚清涼液体用容器全体である。２は容器内部のアルコール飲料等の液体である。３は清涼感増強物を固定保持するために、容器内部に施された合成樹脂等でつくられた固定保持用部材（例えば、浮き上がったり沈んだりすることにより、果実等の清涼感増強物の形状が保たれないことを防ぐために、底面付近等に固定されている、周囲に穴をあけた箱状のものまたは複数の爪のあるもの）である。４は固定保持用部材内の清涼感増強物である。５は従来既存のスプレー式噴射装置である。
【考案の効果】
【０００６】  本考案によるスプレー式皮膚清涼液体用容器を使用することによって，次のような効果がある。
１、容器の内部のアルコール等の液体に、いつも果実等の清涼感増強物が浸っているので、清涼感増強物がアルコール等の液体になじんで、より強力な清涼感を感じる液体がつくれる。
２、容器内部に清涼感増強物を固定保持するための部材がそなえられているので、持ち運びをしたときも清涼感増強物が浮いたり沈んだりすることがなくくずれない。
２、スプレー式の噴射装置があるために手軽に水虫やかゆいところの皮膚患部に吹き付けることができる。
【図面の簡単な説明】
【０００７】
【図１】  本考案によるスプレー式皮膚清涼液体用容器を横から見たときの完成図である。
【符号の説明】
【０００８】１…………ガラス、プラスチックまたは硬化合成樹脂等でつくられたスプレー式清涼液体用容器全体
２…………容器の内部のアルコール飲料等の液体。
３…………清涼感増強物を固定するための合成樹脂等でつくられた固定保持用部材
４…………固定保持用部材内の清涼感増強物
５…………従来既存のスプレー式噴射装置
【図１】
0003131188.tif 000003